(57)【要約】【課題】サイドブラケットに対し、容易に着脱可能としたカバーを提供する。【解決手段】巻取軸３を回転可能に支持するサイドブラケット２に対し、該サイドブラケット２を覆うカバー９を該サイドブラケット２の正面から弾性的に嵌合可能とした。【選択図】図２
0003123220.tif 000002
【実用新案登録請求の範囲】
【請求項１】
巻取軸を回転可能に支持するサイドブラケットに対し、該サイドブラケットを覆うカバーを該サイドブラケットの正面から弾性的に嵌合可能としたことを特徴とするロールブラインドのサイドブラケットカバー。
【請求項２】
前記カバーは、前記サイドブラケットの側縁に係合する保持部と、前記サイドブラケットの下端縁に係合する返し部とを備えたことを特徴とする請求項１記載のロールブラインドのサイドブラケットカバー。
【請求項３】
前記カバーの外周部には、金属の薄板を加工した前記サイドブラケットの外周縁を覆う屈曲部を設け、前記屈曲部の少なくとも２箇所に前記保持部を設けたことを特徴とする請求項２記載のロールブラインドのサイドブラケットカバー。
【請求項４】
前記保持部には、前記保持部と前記サイドブラケットとの係合の解除操作を行うための指掛けを設けたことを特徴とする請求項２又は３記載のロールブラインドのサイドブラケットカバー。
【考案の詳細な説明】
【技術分野】
【０００１】
この考案は、ロールブラインドの巻取軸を回転可能に支持するサイドブラケットのカバーに関するものである。
【背景技術】
【０００２】
ロールブラインドは、一対のサイドブラケット間に回転可能に支持された巻取軸からスクリーンが垂下され、その巻取軸をスクリーン巻取り方向に回転させるとスクリーンが引き上げられ、巻取軸をスクリーン巻戻し方向に回転させるとスクリーンが下降する。
【０００３】
サイドブラケットは、フレームの両端に取着され、そのフレームが取付ブラケットを介して取付面に固定されるか、あるいは取付面に直接固定される。
前記サイドブラケットは、所要の強度を確保するために、鉄、ステンレス等の金属板を加工して形成される。そして、サイドブラケットにはその側面に露出されるネジ等を覆って美観を向上させるカバーが取着されるものがある。
【０００４】
特許文献１，２，３には、サイドブラケットの下方から同サイドブラケットに沿ってスライドさせることにより、サイドブラケットを被覆可能としたカバーが開示されている。また、特許文献４には、サイドブラケットを被覆するシールカバーが開示されている。
【特許文献１】実用新案登録第３０７９３１５号公報
【特許文献２】特許第３１２２７０４号公報
【特許文献３】実公昭６３−４５５１２号公報
【特許文献４】実開平５−６７７９５号公報
【考案の開示】
【考案が解決しようとする課題】
【０００５】
特許文献１〜３に記載されたカバーは、いずれもサイドブラケットに沿ってスライドさせることにより、同サイドブラケットに取付可能としている。すると、ロールブラインドのスプリングモータの初期巻トルクを調整するために、カバーを取り外す際には、カバーと取付面との間の隙間に指を挿入して、カバーを取り外し方向にスライドさせる必要があるため、その取り外し作業が煩雑となる。
【０００６】
また、特許文献４に記載されたシールカバーでは、サイドブラケットに対し繰り返して着脱することはできない。
この考案の目的は、サイドブラケットに対し、容易に着脱可能としたカバーを提供することにある。
【課題を解決するための手段】
【０００７】
請求項１では、巻取軸を回転可能に支持するサイドブラケットに対し、該サイドブラケットを覆うカバーを該サイドブラケットの正面から弾性的に嵌合可能とした。
請求項２では、前記カバーは、前記サイドブラケットの両側縁に係合する保持部と、前記サイドブラケットの下端縁に係合する返し部とを備えた。
【０００８】
請求項３では、前記カバーの外周部には、前記サイドブラケットの外周縁を覆う屈曲部を設け、前記カバーの両側中央部において前記屈曲部に前記保持部を設けた。
請求項４では、前記保持部には、前記保持部と前記サイドブラケットとの係合の解除操作を行うための指掛けを設けた。
【考案の効果】
【０００９】
本考案によれば、サイドブラケットに対し、容易に着脱可能としたカバーを提供することができる。
【考案を実施するための最良の形態】
【００１０】
以下、この考案を具体化した一実施の形態を図面に従って説明する。図１に示すロールブラインドは、フレーム１の両端にサイドブラケット２が取着され、そのサイドブラケット２に取着されたブラケットシャフト２ａ間に巻取軸３が回転可能に支持されている。そして、フレーム１が取付ブラケット４を介して取付面５に固定される。
【００１１】
前記巻取軸３にはスクリーン６が巻着されている。そして、巻取軸３がスクリーン巻取り方向に回転されるとスクリーン６が引き上げられ、巻取軸３がスクリーン巻戻し方向に回転されるとスクリーン６が下降する。
【００１２】
前記スクリーン４の下端部にはウェイトバー７が吊下支持され、そのウェイトバー７の長手方向中央部からプルコード８が垂下されている。そして、プルコード８を下方へ引くことによりスクリーン６を下方へ引き出し可能である。
【００１３】
前記巻取軸３内には、公知のスプリングモータ、クラッチ装置及びダンパーが配設されている。そして、プルコード８を下方へ引いてスクリーン６を所望位置まで下降させた後、プルコード８を手放せばクラッチ装置が作動してスクリーンの巻取りが阻止される。また、クラッチ装置が作動している状態からプルコードを僅かに下方へ引くと、クラッチ装置の作動が解除されて、スプリングモータの付勢力により巻取軸がスクリーン巻取り方向に回転され、スクリーン６が引き上げられる。
【００１４】
前記サイドブラケット２はカバー９で被覆されている。図２に示すように、サイドブラケット２は鉄等の金属の薄板を加工して形成され、カバー９はそのサイドブラケット２を被覆可能とする蓋状に形成される。
【００１５】
すなわち、図３〜図５に示すように、前記カバー９は合成樹脂でサイドブラケット２の外形とほぼ等しい外形の板状に成型される。カバー９の外周部は前記サイドブラケット２の端面を覆うように直角に屈曲された屈曲部１０が形成されて蓋状に形成される。
【００１６】
前記カバー９の両側中央部において、前記屈曲部１０の先端部には互いに対向する保持部１１が形成されている。その保持部１１は、図４に示すように、上下両端部が屈曲部１０に向かって斜状に収束する台形状に形成され、その先端部にサイドブラケット２の端縁を屈曲部１０間に案内する斜面１２が形成されている。
【００１７】
保持部１１の基端部には、屈曲部１０の先端側に向かって突出する突条による指掛け１３が形成されている。また、前記カバー９の下部において、前記屈曲部１０の先端部には、図６に示すように、同屈曲部１０が先端に向かって肉厚とするような斜面による返し部１４が形成されている。
【００１８】
このように構成されたカバー９をサイドブラケット２に取り付けるには、図２に示すように、カバー９を側方、すなわちサイドブラケット２の正面からサイドブラケット２にあてがい、同サイドブラケット２に押し付ける。すると、カバー９が弾性により撓んで、保持部１１がサイドブラケット２の両側の端縁を乗り越える。また、返し部１４もサイドブラケット２の下端縁を乗り越える。
【００１９】
すると、サイドブラケット２はカバー９の屈曲部１０間に収容された状態となり、カバー９は保持部１１及び返し部１４の３点でサイドブラケット２に支持される。この状態では、サイドブラケット２の側面及び端縁がカバー９で覆われる。
【００２０】
カバー９をサイドブラケット２から取り外す場合には、カバー９の一方の指掛け１３に指をかけてサイドブラケット２からカバー９を引き剥がすようにすれば、一方の保持部１１とサイドブラケット２の端縁との係合が外れるので、他方の保持部１１及び返し部１４も容易に外れる。
【００２１】
上記のように構成されたロールブラインドでは、次に示す作用効果を得ることができる。
（１）サイドブラケット２の側面及び端縁をカバー９で被覆して、居住者の視界から隠すことができる。従って、ロールブラインドの美観を向上させることができる。
（２）カバー９を側方からサイドブラケット２に押し付けることにより容易に取り付けることができる。
（３）突条１３に指をかけてサイドブラケット２から容易に取り外すことができる。
（４）返し部１４でカバー９の下端部をサイドブラケット２に保持することができるので、カバー９に反りが生じている場合にも、カバー９の下端部をサイドブラケット２に保持することができる。
（５）サイドブラケットに対しスライドさせて取り付ける構成ではないので、サイドブラケット２とブラケットシャフト２ａとの間にカバーをスライドさせる間隙を確保する必要がない。従って、サイドブラケット２とスクリーン６との間隔の増大を防止して、美観を向上させることができる。
【００２２】
上記実施の形態は、以下の態様で実施してもよい。
・返し部をカバー９の下部で複数箇所に設けてもよい。
・返し部をカバー９の上部の屈曲部１０に設けてもよい。・
【図面の簡単な説明】
【００２３】
【図１】一実施の形態のロールブラインドを示す正面図である。
【図２】サイドブラケットからカバー取り外した状態を示す分解斜視図である。
【図３】カバーを示す斜視図である。
【図４】カバーを示す正面図である。
【図５】カバーを示す横断面図である。
【図６】カバーの下部を示す縦断面図である。
【符号の説明】
【００２４】
２…サイドブラケット、３…巻取軸、９…カバー、１０…屈曲部、１１…保持部、１３…指掛け、１４…返し部。
【図１】
0003123220.tif 000003
【図２】
0003123220.tif 000004
【図３】
0003123220.tif 000005
【図４】
0003123220.tif 000006
【図５】
0003123220.tif 000007
【図６】
0003123220.tif 000008